(57)【特許請求の範囲】
【請求項１】
広巾のウエブをその長手方向に複数条の狭巾に裁断し、該裁断した狭巾のウエブを前後又は上下に分離して前後又は上下の各々に配設された各個別の巻取装置における巻取軸上の巻芯に巻かれる巻取ロールの外周面のウエブ進入位置にタッチローラを圧接して設けたスリッターのウエブ巻取りにおいて、満巻となった巻取ロールを把持して巻取装置がタッチローラから摺動，離脱し、該離脱した巻取装置が製品受取台車上で巻取ロールを把持したまま、該巻取ロールとタッチローラの間でウエブが接続されている状態で両者の間に巻芯供給装置により新巻芯を供給し、該新巻芯表面の一部に前記ウエブを接触させ新巻芯上のウエブを長手方向に横断するカッターにより切断し、ウエブ切断後、巻取装置が巻取ロールを製品受取台上に降ろして、新巻芯位置に移動し、巻芯上にウエブが切断された状態で該巻芯を受け取り、巻取運転を開始することを特徴とするスリッターのウエブ切断方法。
【請求項２】
広巾のウエブをその長手方向に複数条の狭巾に裁断し、該裁断した狭巾のウエブを前後、又は上下の各々に配設された各個別の巻取装置における巻取軸上の巻芯に巻かれる巻取ロールの外周面のウエブ進入位置にタッチローラを圧接して設けたウエブ巻取装置において、摺動可能な巻取装置がタッチローラから摺動離脱した位置の下方床部に製品受取台車を受取台昇降可能に配設してなると共に、巻芯供給装置と切断装置を含む巻芯押え装置を巻芯位置を挟み上下互いに対向して昇降可能に設けてなり、巻芯供給装置は巻取装置が満巻となった巻取ロールを把持してタッチローラから離脱し、製品受取台車上で巻取ロールを把持して巻取装置の巻取ロールとタッチローラの間でウエブが接続されている状態で両者の間に昇降して新巻芯を供給し、その一部の表面にウエブを接触させて対向する巻芯押え装置で巻芯を押えながら新巻芯上のウエブを横断して走行するカッターによりウエブを切断し、ウエブ切断後、巻取装置が巻取ロールを製品受取台上に降ろして新巻芯位置に移動し、巻芯上にウエブが切断された状態で該巻芯を受け取り、巻取運転を開始するように構成されていることを特徴とするスリッターのウエブ切断装置。
【発明の詳細な説明】
【０００１】
【発明の属する技術分野】
本発明はスリッターにおけるウエブ切断方法及び装置に係り、詳しくはスリッターのウエブ巻取りにおいて、巻取装置に巻取ロール（満巻ロール）を把持し、巻取ロールとタッチローラ間でウエブが接続されている状態で、両者の間に巻芯供給装置により新巻芯を供給して巻芯供給装置上でウエブを切断することにより巻取停止から巻取運転開始までの停台時間を大幅に短縮し、巻取効率を向上せしめる上記スリッターにおけるウエブ切断方法及び装置に関するものである。
【０００２】
【従来の技術】
広巾のウエブをその長手方向に複数条の狭巾に裁断し、該裁断した狭巾のウエブを前後又は上下に分離して前後又は上下の各々に配設された各個別の巻取軸上の巻芯に巻かれる巻取ロールの外周面のウエブ進入位置にタッチローラを圧接して設けたスリッターの巻取装置において、従来、満巻時には運転を停止して満巻となった巻取ロールは製品の受取運搬車により一旦、受け取り、巻取装置より巻取ロールを取り外した後、巻取装置はタッチローラ側に移動して巻芯供給装置で供給された新巻芯を受け取り、タッチローラに接触して巻芯上に接触するウエブをカッターで切断して巻取運転を開始していた。（例えば特許文献１参照）。
【０００３】
【特許文献１】
特公平７−５３５４７号公報（第２〜３頁，第２図，第３図）
【０００４】
しかし、上記の場合、スリッターは満巻で停止し、巻取ロールの離脱から巻取ロールの取り外し、新巻芯の受け取り、タッチローラへの接近、そしてウエブの切断まで停止しており、その停止時間は約４５秒を要し、稼働効率阻害の一因となっている。
【０００５】
本発明は上述の如き実状に対処して、巻取ロールを巻取装置より取り外すことなく把持した状態で新巻芯を供給し巻芯供給装置上でウエブを切断することにより、機械の停止時間を大幅に短縮し、稼働効率を高め、巻取効果を向上せしめることを目的とするものである。
【０００６】
上記目的に適合する本発明は、下記の各発明よりなる。
即ち、請求項１の発明は、広巾のウエブをその長手方向に複数条の狭巾に裁断し、該裁断した狭巾のウエブを前後又は上下に分離して前後又は上下の各々に配設された各個別の巻取装置における巻取軸上の巻芯に巻かれる巻取ロールの外周面のウエブ進入位置にタッチローラを圧接して設けたスリッターのウエブ巻取りにおいて、満巻となった巻取ロールを把持して巻取装置がタッチローラから摺動，離脱し、離脱した巻取装置が製品受取台車上で巻取ロールを把持したまま該巻取ロールとタッチローラの間でウエブが接続されている状態で両者の間に巻芯供給装置により新巻芯を供給し、該新巻芯表面の一部に前記ウエブを接触させ新巻芯上のウエブを長手方向に横断するカッターにより切断することを基本とする。
【０００７】
そして上記ウエブ切断後、巻取装置は巻取ロールの把持を開放して巻取ロールを製品受取台上に降ろして、新巻芯位置に移動し、巻芯上にウエブが切断された状態で該巻芯を受け取り、巻取運転を開始することを特徴とする。
【０００８】
請求項２の発明は、前記切断方法を実施する装置構成例であり、広巾のウエブをその長手方向に複数条の狭巾に裁断し、該裁断した狭巾のウエブを前後、又は上下の各々に配設された各個別の巻取装置における巻取軸上の巻芯に巻かれる巻取ロールの外周面のウエブ進入位置にタッチローラを圧接して設けたウエブ巻取装置において、摺動可能な巻取装置がタッチローラから離脱した位置の下方床部に製品受取台車を受取台昇降可能に配設してなると共に、巻芯供給装置と切断装置を含む巻芯押え装置を巻芯位置を挟み上下互いに対向して昇降可能に設けてなり、巻芯供給装置は巻取装置が満巻となった巻取ロールを把持してタッチローラから離脱し、製品受取台車上で巻取ロールを把持して巻取装置の巻取ロールとタッチローラの間でウエブが接続されている状態で両者の間に昇降して新巻芯を供給し、その一部の表面にウエブを接触させて対向する巻芯押え装置で巻芯を押えながら新巻芯上のウエブを横断して走行するカッターによりウエブを切断し、ウエブの切断後、巻取装置が巻取ロールの把持を開放して巻取ロールを製品受取台上に降ろして新巻芯位置に移動し、巻芯上にウエブが切断された状態で、該巻芯を受け取り，巻取運転を開始するように構成せしめた。
【０００９】
【作用】
上記本発明に係るウエブ切断方法及び装置の作用は、次の如くである。
先ず、満巻となった巻取ロールは、巻取装置（巻芯保持フレーム）の摺動と共にタッチローラから離脱し、タッチローラと離脱した巻取装置に把持された巻取ロールとの間に別途設けられている巻芯供給装置により、新巻芯を供給する。
即ち、巻取装置は巻取ロールを把持した状態で巻取ロールとタッチローラ間のウエブは接続されており、この状態でこの中間に供給された新巻芯が割り込み、巻芯の一部の表面にウエブが接触する。
【００１０】
次にこの巻芯表面のウエブを押え付けられる装置を含めたカッター走行装置が巻芯表面に接し、巻芯にウエブを押えながらウエブを横断するカッターが走行し、巻芯上のウエブを切断する。
その後、巻取装置が巻取ロールの把持を開放して巻取ロールを巻取ロール受取台に降ろし、直ちに巻取装置は新巻芯位置に移動して巻芯上にウエブが切断された状態で巻芯を受け取り運転に入る。
このように巻取装置に巻取ロールを把持したまま、巻取装置の巻取ロールとタッチローラ間でウエブが接続されている状態で次の巻芯供給装置上でウエブを切断し、移動して来た巻取装置が切断された状態で巻芯を受け取ることにより、従来方式の満巻で停止し、巻取装置がタッチローラから離脱して巻取ロールの取り外しを行って直ちにタッチローラ側に戻り、ここで新巻芯のみを受け取り、ウエブ切断巻付けが行なわれるのに比較し、機械の停止時間が大幅に短縮される。
【００１１】
【発明の実施の形態】
以下、更に添付図面を参照し、本発明の具体的態様を説明する。
【００１２】
図１〜図３は本発明の切断方法を実施する装置例の要部を示し、図において、１は図示していないが、機枠に対し摺動可能に設けられた巻取装置（巻芯保持フレーム）であり、２は巻芯４に巻かれる巻取ロールの外周面のウエブ進入位置に設けられ、該巻取ロールの外周面を圧接するタッチローラ、３はウエブが巻かれる巻芯４を供給するための巻芯供給装置で、図示装置例では上端部に巻芯４を保持するための手段３ａが設けられている。
【００１３】
一方、巻芯供給装置３の上方には巻芯を挟み対向的に下部に押えローラ６を備えた巻芯押え装置５が切断装置７であるカッター走行装置を含んで設けられ、その下端に巻芯供給装置３上部に保持される巻芯４表面に接し、巻芯上のウエブＷを長手方向に横断するカッター８が設置されている。
なお、図示例では巻芯供給装置３が下方に、巻芯押え装置５が上方に設けられているが、スリッターにおいて上下又は左右に分かれて巻取りが行われるときには、一方が上記の如くであれば他方は上下が逆となり、巻芯供給装置が上方に、巻芯押え装置が下方に対向的に配置される。
【００１４】
また、上記ウエブ切断装置は前述した引用特許文献１に示されているスリッター装置の切断装置に対応する要部のみを示しており、広巾のウエブをその長手方向に複数条の狭巾ウエブに裁断し、該裁断した狭巾のウエブを前後又は上下に分離して前後又は上下の各々に配設された各個別の巻取装置で巻かれる巻取ロールの外周面のウエブ進入位置にタッチローラを圧接したスリッター装置は引用文献１と略同様である。
【００１５】
次に上記図１〜図３に示す本発明切断装置による切断方法を引用文献１に示す従来の切断方法と対比して説明する。
図４は本発明の切断方法であり、図５は従来の切断方法を示す。
先ず、図５に従って従来の方法の１つを述べると、（イ）図に示すように、ガイドロール１１を介し送られてくるウエブＷが満巻されると、巻取装置（巻芯保持フレーム）１がタッチローラ２から離脱し、製品受取台車９の受取台１０が上昇して巻取装置１の巻取チャックを開とし、巻取装置１より巻取ロールＲを受取台１０上に降ろして巻取装置１は（ロ）図に示されるように直ちにタッチローラ２側に移動する。
ここで、巻芯供給装置３が巻芯を保持して上昇し、巻取装置１が巻芯４を保持すると、巻取チャックが閉じるのと並行して受取台１０は巻取ロールＲを載せて下降する。そして、（ハ）図に示すようにカッター８′によりタッチローラ２に接触して巻芯４上に接触するウエブＷを切断し、巻取運転を開始した。
【００１６】
これに対し、前記本発明切断方法は図４に示すようにガイドロール１１を介して送られてくるウエブＷが満巻されると、巻取装置（満新保持フレーム）１がタッチローラ２から摺動、離脱し、製品受取台車9の受取台１０が上昇して満巻された巻取ロールＲをその受取台１０上に載せる（（イ）図参照）ことは従来方式と同様であるが、このときに（ロ）図に示す如く巻取装置１はタッチローラから離脱した状態を保って巻取ロールＲを把持したままで巻取ロールＲとタッチローラ２間のウエブは接続されていて、この中間に別途設けられている巻芯供給装置３により新巻芯４が割り込んで供給され、巻芯４の一部の表面にウエブＷが接触し、新巻芯上でウエブは切断される。
【００１７】
次に上部より巻芯表面を押し付ける巻芯押え装置５を含めた切断装置７が下降して巻芯表面に接し、押えローラ６で巻芯４にウエブを押さえながらウエブを横断するカッター８が走行し、ウエブを切断する。
【００１８】
かくて、ウエブＷが切断されると、（ハ）図に矢示で示すように巻芯押え装置５と切断装置７は上昇し、巻取装置１は受取台１０の巻取ロールＲの把持を開放して直ちに巻芯位置に移動し、巻芯供給装置３と製品受取台車９の受取台１０は受取台１０上に巻取装置による把持が開放された巻取ロールＲを載せて下降する。そして、巻取装置１は巻芯位置において、巻芯上にウエブが切断された状態で巻芯を受け取り、巻芯チャック（図示せず）を閉じて運転に入る。
なお、前述の如く巻芯供給装置と、巻芯押え装置の配置が上下逆になる場合には、上記説明の上昇，下降が逆となることは勿論である。
【００１９】
このようにして巻取装置１で新巻芯を受け取ってウエブＷを切断する従来方式に対し、本発明は巻取装置１に巻取ロールＲが把持されてタッチローラより離脱し、製品受取台車上で巻取装置に巻取ロールを把持したまま巻取ロールＲとタッチローラ間のウエブが接続された状態で、両者の間に巻芯供給装置により新巻芯を供給し、該巻芯供給装置上でウエブを切断して巻芯上にウエブが切断された状態で巻取装置が巻芯を受け取ることにより巻取停止から巻取運転開始までの停台時間が従来方式では４５秒かかっていたのに対し１５秒となり、大巾に短縮することができた。
【００２０】
【発明の効果】
本発明は以上のように、スリッターにおけるウエブ巻取装置において、満巻となった巻取ロールがタッチローラから離脱したとき、製品受取台車上で巻取装置が巻取ロールを把持した状態で巻取ロールとタッチローラとの間に接続されているウエブに巻芯供給装置で新巻芯を供給し、新巻芯表面の一部にウエブを接触させ、新巻芯上のウエブを長手方向に横断するカッターで切断し、その後、巻取装置が巻取ロールを降ろして移動し巻芯上にウエブが切断された状態で巻芯を受け取るようにしたものであり、従来、満巻で停止し、以後、巻取装置の離脱から巻取ロールの取り外し、次いで復帰した巻取装置に対する新巻芯の供給、タッチローラへの接近、そしてウエブ切断まで約４５秒の運転停止時間を要していたのに対し、上記本発明では巻取装置に巻取ロールを把持した状態で巻芯供給装置で新巻芯を供給し、その一部の表面にウエブを接触させて巻芯供給装置上でウエブを切断することにより、スリッター停止時間は大幅に短縮が可能となり、１５秒という大巾な停止時間の短縮となって次の運転を開始することが出来、装置の稼働率の大幅な向上と共に巻取速度を高め、巻取効率を増進する顕著な効果を有している。
【図面の簡単な説明】
【図１】  本発明に係る切断方法を実施する装置の要部概要図である。
【図２】  上記装置の切断装置部分の概要図である。
【図３】  図２の一部拡大図である。
【図４】  本発明装置の巻芯供給，ウエブ切断の作動説明図で、（イ），（ロ），（ハ）はその順序工程を示す。
【図５】  従来の巻芯供給，ウエブ切断の作動説明図で、（イ），（ロ），（ハ）はその順序工程を示す。
【符号の説明】
１  巻取装置
２  タッチローラ
３  巻芯供給装置
４  巻芯
５  巻芯押え装置
６  押えローラ
７  切断装置
８  カッター
【図１】
0004220270.tif 000002
【図２】
0004220270.tif 000003
【図３】
0004220270.tif 000004
【図４】
0004220270.tif 000005
【図５】
0004220270.tif 000006